(57)【要約】【課題】  操作ハンドルを回し始めてから移動棚が動き始めるまでのタイムラグを少なくするととともに、操作ハンドルを素早く回しても空振りがなく、かつ、クラッチ円盤の径も小さくできるようにした手動式移動棚装置を提供する。【解決手段】  水平の回転軸１４を中心として回転するように移動棚の側壁に取り付けられた操作ハンドル４をクラッチおよび伝動手段を介して移動棚の車輪に連係し、操作ハンドル４を回転させることにより、車輪を回転させて移動棚を移動させるようにした手動式移動棚装置において、クラッチを、回転軸１４に回転自在に支持されて車輪に連係され、かつ内周に歯２０を有するクラッチ円盤２１と、操作ハンドル４の回転基部４ａに揺動自在に取り付けられ、操作ハンドル４を回転操作したとき、クラッチ円盤２１の歯２０に噛合する１対のフックアーム１６Ａ、１６Ｂとにより構成する。【選択図】  図３
2005204823.tif 000002
【特許請求の範囲】
【請求項１】
水平の回転軸を中心として回転するように移動棚の側壁に取り付けられた操作ハンドルを、クラッチおよび伝動手段を介して移動棚の車輪に連係し、前記操作ハンドルを回転させることにより、前記車輪を回転させて移動棚を移動させるようにした手動式移動棚装置において、
前記クラッチを、回転軸に回転自在に支持されるとともに、前記車輪に連係され、かつ内周に歯を有するクラッチ円盤と、前記操作ハンドルの回転基部に揺動自在に取り付けられ、前記操作ハンドルを回転操作したとき、前記クラッチ円盤の歯に噛合する１対のフックアームとにより構成したことを特徴とする手動式移動棚装置。
【請求項２】
１対のフックアームのうち、クラッチ円盤の歯に噛合しているフックアームと反対側にあるフックアームを、前記歯と噛合不能になるように拘束する拘束手段を設けたことを特徴とする請求項１記載の手動式移動棚装置。
【請求項３】
拘束手段を、操作ハンドルの回転基部であって、両フックアームの間に揺動自在に取り付けられ、回転軸側の端部に、フックアームに形成された切欠部と係合する係合突起を有する拘束アームにより構成し、操作ハンドルの回転時に、クラッチ円盤の歯と噛合するフックアームと反対側のフックアームの切欠部に前記係合突起が係合して、このフックアームを非噛合状態に拘束するようにしたことを特徴とする請求項１または２記載の手動式移動棚装置。
【請求項４】
フックアームの先端に、操作ハンドルの回転基部の回転方向と同一側の面を、クラッチ円盤の歯に噛合する係合面とし、かつ、回転方向と逆側の面を、この歯と噛合しない傾斜面とした爪を設けたことを特徴とする請求項１〜３のいずれかに記載の手動式移動棚装置。
【請求項５】
操作ハンドルの離芯部に、この操作ハンドルとほぼ平行になる収納位置と、前方へ突出する突出位置とに揺動可能とした操作ノブを設けたことを特徴とする請求項１〜４のいずれかに記載の手動式移動棚装置。
【発明の詳細な説明】
【技術分野】
【０００１】
本発明は、操作ハンドルを手動で回転させることにより、移動棚を移動させるようにした手動式移動棚装置に関する。
【背景技術】
【０００２】
従来のこの種の手動式移動棚装置として、移動棚の側壁より外方に突出する操作ハンドルを、噛合状態と非噛合状態とに切り換え可能なクラッチおよび伝動手段を介して移動棚の車輪に連係し、このクラッチの噛合状態において、操作ハンドルを回転させることにより、車輪を回転させて移動棚を移動させうるようにした手動式移動棚装置はすでに知られている（例えば、特許文献１参照）。
【０００３】
上記特許文献１に記載されているクラッチは、操作ハンドルの回転基部を枢支する回転軸に、複数の歯が形成された有歯円板（クラッチ円盤）を固着し、この有歯円板の側方には、歯と噛合可能なフックを有する１対のフックアームを左右対称の位置に配置したものである。操作ハンドルを回転操作すると、フックアームが自重で傾き、有歯円板に噛み合い、車輪に操作ハンドルの回転を伝達して移動棚を移動させるようになっている。
【特許文献１】実公昭６０−６２６１号公報
【発明の開示】
【発明が解決しようとする課題】
【０００４】
しかし、特許文献１に記載されているクラッチは、操作ハンドルを回転操作してフックアームが自重で傾き、有歯円板に噛み合うまでのタイムラグがあるため、操作ハンドルを回転させて実際に移動棚が動き始めるまでに、操作ハンドルをある程度空転させる必要がある。そのため、移動操作に時間がかかるばかりでなく、操作ハンドルを素早く回すと、遠心力により、フックアームが外側に開いてしまい、有歯円板に噛み合わない、いわゆる空振りという現象が生じていた。
有歯円板の歯数をできるだけ多くすれば、フックアームの噛合が速くなり、上記のようなタイムラグを小さくすることができるが、そのようにすると、有歯円板の径が大きくなり、その結果、操作ハンドルの径および重量が大きくなるという問題がある。
【０００５】
本発明は、従来の技術が有する上記のような問題点に鑑み、操作ハンドルを回し始めてから移動棚が動き始めるまでのタイムラグを小さくするとともに、操作ハンドルを素早く回しても空振りすることがなく、かつ、クラッチ円盤の径も小さくできるようにした手動式移動棚装置を提供することを目的としている。
【課題を解決するための手段】
【０００６】
本発明によると、上記課題は、次のようにして解決される。
(１)水平の回転軸を中心として回転するように移動棚の側壁に取り付けられた操作ハンドルを、クラッチおよび伝動手段を介して移動棚の車輪に連係し、前記操作ハンドルを回転させることにより、前記車輪を回転させて移動棚を移動させるようにした手動式移動棚装置において、前記クラッチを、回転軸に回転自在に支持されるとともに、前記車輪に連係され、かつ内周に歯を有するクラッチ円盤と、前記操作ハンドルの回転基部に揺動自在に取り付けられ、前記操作ハンドルを回転操作したとき、前記クラッチ円盤の歯に噛合する１対のフックアームとにより構成する。
【０００７】
(２)上記(１)項において、１対のフックアームのうち、クラッチ円盤の歯に噛合しているフックアームと反対側にあるフックアームを、前記歯と噛合不能になるように拘束する拘束手段を設ける。
【０００８】
(３)上記(１)または(２)項において、拘束手段を、操作ハンドルの回転基部であって、両フックアームの間に揺動自在に取り付けられ、回転軸側の端部に、フックアームに形成された切欠部と係合する係合突起を有する拘束アームにより構成し、操作ハンドルの回転時に、クラッチ円盤の歯と噛合するフックアームと反対側のフックアームの切欠部に前記係合突起が係合して、このフックアームを非噛合状態に拘束するようにする。
【０００９】
(４)上記(１)〜(３)項のいずれかにおいて、フックアームの先端に、操作ハンドルの回転基部の回転方向と同一側の面を、クラッチ円盤の歯に噛合する係合面とし、かつ、回転方向と逆側の面を、この歯と噛合しない傾斜面とした爪を設ける。
【００１０】
(５)上記(１)〜(４)項のいずれかにおいて、操作ハンドルの離芯部に、この操作ハンドルとほぼ平行になる収納位置と、前方へ突出する突出位置とに揺動可能とした操作ノブを設ける。
【発明の効果】
【００１１】
(１)請求項１記載の発明によれば、内周に歯を有するクラッチ円盤と、操作ハンドルを回転操作したとき、このクラッチ円盤の歯に噛合する１対のフックアームとによりクラッチを構成したので、操作ハンドルの回転時にフックアームに遠心力が働くと、フックアームは必然的に歯に噛合するように動作するため、操作ハンドルを速く回しても空振りという噛合ミスが発生することがなくなり、しかも遠心力がフックアームを歯に噛合させるように作用するため、確実なクラッチ動作がなされる。
【００１２】
また、フックアームの外側にクラッチ円盤の歯を配置したため、クラッチ円盤の径を大きくすることなく歯数を増やすことができ、これにより、操作ハンドルを回すと、すぐにフックアームが歯に噛合し、操作ハンドルを回し初めてから移動棚が動き始めるまでのタイムラグをほとんどなくすことができる。
【００１３】
(２)請求項２記載の発明によれば、クラッチ円盤の歯に噛合しているフックアームと反対側にあるフックアームを噛合不能になるように拘束する拘束手段を設けたので、両フックアームのダブル噛合を防止でき、移動棚が慣性で速く動いた際の操作ハンドルの連れ回りが防止出来る。
【００１４】
(３) 請求項３記載の発明によれば、拘束アームをフックアームの間に揺動自在に取り付け、操作ハンドルの回転時に非噛合状態のフックアームの切欠部に係合突起が係合するようにしたので、この係合により、噛合していないフックアームを非噛合状態に確実に拘束することができる。
【００１５】
(４) 請求項４記載の発明によれば、フックアームの先端に、回転方向側の面はクラッチ円盤の歯に噛合する係合面とし、回転方向と逆側の面は歯と噛合しない傾斜面とした爪を設けたので、操作ハンドルよりも移動棚が速く移動した場合でも、クラッチ円盤の歯が傾斜面上を摺動し、フックアームを介して操作ハンドルが連れ回りすることが避けられる。
【００１６】
(５) 操作ハンドルの上端部に、該操作ハンドルとほぼ平行になる収納位置と、前方へ突出する突出位置とに揺動する操作ノブを設けたので、回転操作の際だけ操作ノブを突出させ、通常は平行位置に折り畳んでおくことにより、操作ノブに人や物が衝突するこがことが防止できる。
【発明を実施するための最良の形態】
【００１７】
以下、本発明の一実施形態を図面とともに説明する。
図１は、本発明の手動式移動棚装置の一実施形態の斜視図である。レール(１)上には３台の移動棚(２)と、１台の固定棚(３)とが並列に配設されており、そのうち３台の移動棚(２)は、その側壁(2a)に設けた操作ハンドル(４)を、左右いずれかの方向に回転させることにより、レール(１)上を左右に移動させることができるようになっている。
【００１８】
各移動棚(２)の頂部上には、転倒防止用レール(５)が掛け渡されており、各移動棚(２)は、頂部に設けたリング(図示せず)を転倒防止用レール(５)に通してあるため、特に移動から停止の状態に至る際の転倒が防止される。収納物(６)は、移動棚(２)の各棚板(７)上に載置されている。
【００１９】
移動棚(２)の内部において、操作ハンドル(４)の回転中心に取り付けられている回転軸(14)(図２以降参照)には、スプロケット(８)が枢嵌されており、このスプロケット(８)、およびレール(１)上の車輪(図示せず)と同軸の２個のスプロケット(９)には、チェーン(10)が掛け回されている。したがって、スプロケット(８)が回転させられると、そのトルクは、チェーン(10)を介してスプロケット(９)に伝わり、レール(１)上の車輪が回転して移動棚(２)が走行する。スプロケット(８)(９)、及びチェーン(10)により、操作ハンドル(４)の回転力を車輪に伝達する伝動手段が形成されている。
【００２０】
図２は、図１に示した操作ハンドル(４)の内部機構を示す縦断側面図、図３は、図２のIII−III線断面図である。
操作ハンドル(４)は、円盤形状の回転基部(4a)の上部に左右１対の操作アーム部(4b)が設けられたもので、回転基部(4a)はベアリング(11)を介して移動棚(２)の側壁(2a)に回転自在に取り付けられている。操作アーム部(4b)の上端部には、軸(4c)を介してノブ(4d)が揺動自在に取り付けられており、不使用時は操作アーム部(4b)と平行をなして、その内側に収められ（収納位置）、回転操作時には図２の鎖線で示す突出位置に突出されるようになっている。
【００２１】
回転基部(4a)の背面には、クラッチベース(12)が止ねじ(13)を介して固定されている。このクラッチベース(12)の中央部に、回転基部(4a)の回転中心と軸線が一致する回転軸(14)が固定されている。このクラッチベース(12)の偏心部に突設された軸(15)を中心として回動可能で、後述する歯(20)と噛合可能な爪(17)を有する１対のフックアーム(16A)(16B)が、回転軸(14)と直交する操作ハンドル(４)の中心線(Ｌ)に関して左右対称の位置に配置されている。爪(17)は、回転基部(4a)の回転方向と同一側の面を係合面(17a)とし、回転方向と反対側の面を傾斜面(17b)としている。各フックアーム(16A)(16B)の内端縁は、クラッチベース(12)に突設されたストッパ(18)に当接して、それ以上回転軸(14)側に移動しないようになっている。
【００２２】
回転軸(14)の先端部外周には、ベアリング(19)を介して上記したスプロケット(９)が取り付けられている。このスプロケット(８)のボス部(8a)の外周に、複数の歯(20)が内周に形成されたクラッチ円盤(21)が固定されている。
【００２３】
上記フックアーム(16A)(16B)は、軸(15)寄りの内端縁部に切欠部(22)を有している。このフックアーム(16A)(16B)間には、拘束アーム(24)が、その重心より回転軸(14)寄りの部分において軸(23)をもってクラッチベース(12)に枢着されている。この拘束アーム(24)は、下端部、すなわち回転軸(14)側の端部の左右に形成された突出部(24a)が切欠部(22)に対向するように配置されている。
【００２４】
回転基部(4a)内には、錘(25)が埋め込まれており、この錘(24)のため、操作ハンドル(４)の重心は、図３における回転軸(14)の下方、すなわち回転軸(14)に関して操作アーム部(4b)と反対側に位置し、フック(16A)(16B)が歯(20)に係合していない非噛合状態では、操作アーム部(4b)が最上方に位置するようになっている。
【００２５】
図４は、操作ハンドルを、図３に示す状態から左回りに若干回転させたときの要部断面図である。
操作ハンドル(４)を矢印(26)で示すように左に回せば、左側のフックアーム(16A)はその自重および慣性により軸(15)を中心に矢印(27)で示す右回りに揺動し、その結果、左のフック(16A)の爪(17)の係合面(17a)がクラッチ円盤(21)の歯(20)と噛合して、クラッチの噛合状態となる。拘束アーム(24)は、自重および慣性によって軸(23)を中心に左回りに揺動し、これにより、拘束アーム(24)の右の突出部(24b)は、右のフックアーム(16B)の切欠部(22)に係合して、右のフックアーム(16B)をブロックする。このため、右のフック(16B)と歯(20)とは噛合することがなく、これにより、ダブル噛合が防止される。
【００２６】
慣性により、操作ハンドル(４)の回転速度より速く移動棚(２)が移動したり、あるいは、操作ハンドル(４)の回転を止めても移動棚(２)が移動を続けることがあり、この場合、フックアーム(16A)(16B)を取り付けたクラッチベース(12)の回転は停止したままクラッチ円盤(21)は矢印(26)方向への回転を継続する。このとき、クラッチ円盤(21)の歯(20)が噛合状態のフックアーム(16A)の爪(17)の後端縁に形成されている傾斜面(17b)を押し、フックアーム(16A)は軸(15)を中心に矢印(27)と反対方向に揺動して歯(20)との噛合が外れる。噛合していない側のフックアーム(16B)は拘束アーム(22)で非噛合状態に拘束されているので、クラッチ円盤(21)はフリーで回転できることになり、操作ハンドル(４)には回転力が伝達されない。
【００２７】
操作ハンドル(４)の左回りの回転を継続すれば、左側のフックアーム(16A)は再び歯(20)と噛合し続けるため、クラッチ円盤(21)は操作ハンドル(４)と同様、矢印(26)で示す左回りに回転する。
【００２８】
操作ハンドル(４)を、図４の状態から右回りに回転させると、クラッチベース(12)は右回りに回転し、左側のフックアーム(16A)の爪(17)の傾斜面(17b)は歯(20)を乗り越えながら、かつ、右側のフックアーム(16B)は拘束アーム(24)で拘束されたまま回転して図３の状態、すなわち、フックアーム(16A)(16B)は非噛合、拘束アーム(24)は直立で非拘束の状態に復帰する。操作ハンドル(４)を、図３の状態から右回りに回転させると、図４とは逆の動作、すなわち、右のフックアーム(16B)が歯(20)に噛合し、左のフックアーム(16A)が拘束アーム(24)で拘束された状態で、クラッチ円盤(21)が右回転する。
【００２９】
本発明は、上記の実施形態のみの限定されるものではなく、幾多の変形が可能である。例えば、クラッチ円盤(21)を、円板に歯(20)を取り付けた構成に代えて、車輪のリム部分の内面に歯を設けた構成のものとしてもよい。また、操作ハンドル(４)を、操作アーム(4a)の部分がない円形ハンドルとしてもよい。
【図面の簡単な説明】
【００３０】
【図１】本発明の一実施形態の斜視図である。
【図２】同じく、操作ハンドルおよびクラッチ部分の縦断側面図である。
【図３】同じく、図２のIII−III線断面図である。
【図４】同じく、操作ハンドルを回転させたときの断面図である。
【符号の説明】
【００３１】
(１)レール
(２)移動棚
(2a)側壁
(３)固定棚
(４)操作ハンドル
(4a)回転基部
(4b)操作アーム部
(4c)軸
(4d)ノブ
(５)転倒防止用レール
(６)収納物
(７)棚板
(８)スプロケット
(９)スプロケット
(10)チェーン
(11)ベアリング
(12)クラッチベース
(13)止ねじ
(14)回転軸
(15)軸
(16A)(16B)フックアーム
(17)爪
(17a)係合面
(17b)傾斜面
(18)ストッパ
(19)ベアリング
(20)歯
(21)クラッチ円盤
(22)切欠部
(23)軸
(24)拘束アーム
(24a)突出部
(25)錘
(26)矢印
(27)矢印
【図１】
2005204823.tif 000003
【図２】
2005204823.tif 000004
【図３】
2005204823.tif 000005
【図４】
2005204823.tif 000006